(57)【要約】【課題】木材資源の無駄使いを大幅に低減することを可能としながら、デザイン的に見て迅速な普及をも見込める有用なプラスチック製割箸、特に透明プラスチック製割箸を提供しようとするものである。【解決手段】先端側を断面円形にして細くし、基端側を断面角形として太くした透明プラスチック棒状体を二本並列し、前記角形の隅部を連結するとともに、基端側の平面部分には所定の間隔で点状の凹部を形成し、中間部および先端側の物を挟む挟着部の四面には棒状体の長さ方向に沿って断面凹状の溝を設け、かつ挟着部に複数段の環状溝を設けたことを特徴とする透明プラスチック製割箸。【選択図】図１
0003131799.tif 000002
【実用新案登録請求の範囲】
【請求項１】
先端側を断面円形にして細くし、基端側を断面角形として太くした透明プラスチック棒状体を二本並列し、前記角形の隅部を連結するとともに、基端側の平面部分には所定の間隔で点状の凹部を形成し、中間部および先端側の物を挟む挟着部の四面には棒状体の長さ方向に沿って断面凹状の溝を設け、かつ挟着部に複数段の環状溝を設けたことを特徴とする透明プラスチック製割箸。
【請求項２】
透明プラスチック棒状体が顔料もしくは染料を配合して所定の色彩に着色されていることを特徴とする請求項1記載の透明プラスチック製割箸。
【請求項３】
基端側に設けた点状の凹部が、断面角形の角部を挟んで対称に形成されていることを特徴とする請求項1または２記載の透明プラスチック製割箸。
【考案の詳細な説明】
【技術分野】
【０００１】
この考案はプラスチック製割箸、特に透明プラスチック製割箸に関する。
【背景技術】
【０００２】
本考案者は先に特許第２６８８５９０号公報（特許文献１参照）において、箸を使用する施設において汚れた箸を回収する段階と、この回収された箸を直ちに再利用できる箸と、再生する必要のある箸とに選別する段階と、直ちに再利用できる箸を洗浄する段階、また再生する必要のある箸を粉砕・溶解し再度成形する段階と、上記洗浄ないし再成形された箸を密封包装する段階と、密封包装された箸を上記箸を使用する施設に配送する段階とを有することを特徴とする箸のリサイクルシステムを提案した。
【０００３】
そして、割箸の再生利用の道を開いて、木材資源の無駄使いを大幅に低減することを可能としたが、使用するプラスチック製割箸の見た目があまり良好ではなく、今一歩普及していないのが実情である。
【０００４】
例えば、登録実用新案第３１２４６３０号公報（特許文献２参照）のように、機能性を高めたプラスチック製割箸も提案されているが、デザイン的に見て迅速に普及するとは思えないものである。
【特許文献１】特許第２６８８５９０号公報
【特許文献２】登録実用新案第３１２４６３０号公報
【考案の開示】
【考案が解決しようとする課題】
【０００５】
そこでこの考案は、木材資源の無駄使いを大幅に低減することを可能としながら、デザイン的に見て迅速な普及をも見込める有用なプラスチック製割箸、特に透明プラスチック製割箸を提供しようとするものである。
【課題を解決するための手段】
【０００６】
すなわちこの考案の透明プラスチック製割箸は、先端側を断面円形にして細くし、基端側を断面角形として太くした透明プラスチック棒状体を二本並列し、前記角形の隅部を連結するとともに、基端側の平面部分には所定の間隔で点状の凹部を形成し、中間部および先端側の物を挟む挟着部の四面には棒状体の長さ方向に沿って断面凹状の溝を設け、かつ挟着部に複数段の環状溝を設けたことを特徴とするものである。
【０００７】
またこの考案の透明プラスチック製割箸は、前記透明プラスチック棒状体が顔料もしくは染料を配合して所定の色彩に着色されていることをも特徴とするものである。
【０００８】
またこの考案の透明プラスチック製割箸は、前記基端側に設けた点状の凹部が、断面角形の角部を挟んで対称に形成されていることをも特徴とするものである。
【０００９】
この考案の透明プラスチック製割箸は、プラスチック棒状体を透明なプラスチック素材を使用して成形するとともに、基端側の平面部分には所定の間隔で点状の凹部を形成し、中間部および先端側の物を挟む挟着部の四面には棒状体の長さ方向に沿って断面凹状の溝を設け、かつ挟着部に複数段の環状溝を設けている。
前記透明プラスチック棒状体は、顔料もしくは染料を配合して所定の色彩に着色されていることが望ましい。透明であることが条件であるが、半透明であってもよいことはもちろんである。
【００１０】
断面角形とは、三角、四角、五角、六角及び八角形その他の多角形をいう。また連結部分は細くするか肉厚を薄くして、二本並列させたプラスチック棒状体を分断しやすくしておくことが望ましい。
【００１１】
また、基端側の平面部分には所定の間隔で点状の凹部が形成してある。このように点状の凹部を多数形成することにより、手で持つ部分を滑りにくく、かつ過度に透明であることを避けて抵抗なく使用できるようにしてある。
なお、前記基端側の平面部分に設けた点状の凹部のほかに、点状の凹部を断面角形の角部を挟んで対称に形成することもできる。このようにすれば、強度の低下を防ぎながらより軽くすることが可能となり、使用するプラスチック素材の量を大幅に低減することができる。
【００１２】
さらに、中間部および先端側の物を挟む挟着部の四面には棒状体の長さ方向に沿って断面凹状の溝が設けてある。この溝はプラスチック棒状体の補強リブとして作用するとともに、先端側の物を挟む挟着部においては物を挟みやすくし、またうどんやそば、ラーメンなどを食するときのつゆを保持してそれらをおいしく食することができるようにも機能することとなる。
先端側の物を挟む挟着部に設けた複数段の環状溝は、物を挟む際に滑らないようにするためのものである。
なお、この先端側を断面円形にしてあるので、二本の箸の向きがどのようであろうと、物を均等に挟むことができる。
【００１３】
この考案に使用するプラスチック素材としては、ポリスチレン、ポリプロピレン、ポリエチレン、ポリカーボネイトの外、とうもろこし、さとうきび、じゃがいもから得た樹脂（生分解性樹脂）またはプラスチック同様に、成型や強度に問題がなければ、充填材を多量に含んでいてもよい。
【００１４】
前記プラスチック素材は再生することができるとともに、生分解性樹脂等は約２００℃程度と燃焼値が低くダイオキシンが発生しないし、原料に毒性がない。また放置すれば微生物によって分解されるので、地球環境にもやさしいものである。
【考案の効果】
【００１５】
この考案によれば、木材資源の無駄使いを大幅に低減することを可能としながら、デザイン的に見て迅速な普及をも見込める有用なプラスチック製割箸、特に透明プラスチック製割箸を提供することが可能となった。
すなわち、透明ないし半透明であるため、夏に飲食用に使用すると見た目が涼しげであって使いやすく、またそれ以外の季節であっても、色使いによって季節感のある割箸とすることが可能である。
さらに、手で持つ部分は凹凸があって持ちやすい上、過度の透明感を出すこともなく、先端部分は物を挟みやすく配慮してあるので非常に使いやすい透明プラスチック製割箸を提供することができる。
【考案を実施するための最良の形態】
【００１６】
以下この考案の透明プラスチック製割箸の実施の形態について、図面に基いて詳細に説明する。
図１はこの考案の透明プラスチック製割箸の１実施例を示す正面図、図２はそのＡ−Ａ断面図、図３そのＢ−Ｂ断面図、図４はそのＣ−Ｃ断面図、そして図５はそのＤ−Ｄ断面図である。
【００１７】
図１ないし図５においてこの考案の透明プラスチック製割箸は、先端側を断面円形にして細くし、基端側を断面角形として太くした透明プラスチック棒状体１１，１１を二本並列し、前記角形の隅部を連結したものからなっている。
前記断面角形とは、三角、四角、五角、六角及び八角形その他の多角形をいう。また連結部分１２は細くするか肉厚を薄くして、二本並列させたプラスチック棒状体１１，１１を分断しやすくしてある。
【００１８】
この考案において、前記プラスチック棒状体１１，１１は透明なプラスチック素材を使用して成形してある。
すなわち、前記透明プラスチック棒状体１１，１１は、顔料もしくは染料を配合して所定の色彩に着色されていることが望ましい。透明であることが条件であるが、半透明であってもよいことはもちろんである。
【００１９】
またこの考案に使用するプラスチック素材としては、ポリスチレン、ポリプロピレン、ポリエチレン、ポリカーボネイトの外、とうもろこし、さとうきび、じゃがいもから得た樹脂（生分解性樹脂）またはプラスチック同様に、成型や強度に問題がなければ、充填材を多量に含んでいてもよい。
前記プラスチック素材は再生することができるとともに、生分解性樹脂等は約２００℃程度と燃焼値が低くダイオキシンが発生しないし、原料に毒性がない。また放置すれば微生物によって分解されるので、地球環境にもやさしいものである。
【００２０】
前記透明プラスチック棒状体１１，１１は、基端側２１の平面部分に所定の間隔で点状の凹部１３が形成してある。図ではこの凹部１３はＶ字またはＵ字状の断面を有している。このように点状の凹部１３を多数形成することにより、手で持つ部分を滑りにくく、かつ過度に透明であることを避けて抵抗なく使用できるようにしてある。
なお、前記基端側の平面部分に設けた点状の凹部１３のほかに、異なる断面形状（図では垂直壁）の点状の凹部１４を断面角形の角部１５を挟んで対称に形成することもできる。このようにすれば、強度の低下を防ぎながらより軽くすることが可能となり、使用するプラスチック素材の量を大幅に低減することができる。
【００２１】
さらに、中間部２２および先端側２３の物を挟む挟着部１６の四面にはプラスチック棒状体１１，１１の長さ方向に沿って断面凹状の溝１７が設けてある。この溝１７はプラスチック棒状体１１，１１の補強リブとして作用するとともに、先端側２３の物を挟む挟着部１６においては物を挟みやすくし、またうどんやそば、ラーメンなどを食するときのつゆを保持してそれらをおいしく食することができるようにも機能する。
【００２２】
先端側２３の物を挟む挟着部１６に設けた複数段の環状溝１８は、物を挟む際に滑らないようにするためのものである。
なお、この先端側２３を断面円形にしてあるので、二本の箸の向きがどのようであろうと、物を均等に挟むことができる。
【産業上の利用可能性】
【００２３】
以上においてはリサイクル可能な透明プラスチック製割箸として説明したが、リサイクルを目的としない透明プラスチック製割箸として使用してもよく、また食事の際以外の用途に使用してもよいことはもちろんである。
【図面の簡単な説明】
【００２４】
【図１】この考案の透明プラスチック製割箸の１実施例を示す正面図である。
【図２】そのＡ−Ａ断面図である。
【図３】そのＢ−Ｂ断面図である。
【図４】そのＣ−Ｃ断面図である。
【図５】そのＤ−Ｄ断面図である。
【符号の説明】
【００２５】
１１  透明プラスチック棒状体
１２  連結部分
１３  点状の凹部
１４  異なる断面形状の点状の凹部
１５  断面角形の角部
１６  挟着部
１７  断面凹状の溝
１８  環状溝
２１  基端側
２２  中間部
２３  先端側
【図１】
0003131799.tif 000003
【図２】
0003131799.tif 000004
【図３】
0003131799.tif 000005
【図４】
0003131799.tif 000006
【図５】
0003131799.tif 000007